(57)【要約】  【課題】  光ピックアップの対物レンズホルダにおける対物レンズの装着を、人手によって接着剤を塗布して行う際、その塗布の仕方にバラつきがあっても、接着材がレンズの外周面より内側に流れ込まないようにすること。  【解決手段】  対物レンズ１のフランジ部を対物レンズホルダ１０の載置面に載置した際の、そのフランジ部の外周面に接する面に沿って、その面の外側に、対物レンズホルダ１０の載置面から所定の深さの接着材の液溜まり１１を形成する。接着材１００の塗布の仕方にバラつきがあっても、接着材１００がレンズホルダ１０の内周側に向かって流れ込むことがないので、流れ込んだ場合のように、流れ込んだ接着材の上にレンズ１が乗り上がって傾いたり、流れ込んだ接着材の固化に伴って、その余裕の無い空間でレンズ１が応力を受けて歪むといったおそれが無い。【選択図】      図１
2007058919.tif 000002
【特許請求の範囲】
【請求項１】
対物レンズのフランジ部を対物レンズホルダの載置面に載置した際の、そのフランジ部
の外周面に接する面に沿って、その面の外側に、その対物レンズホルダの載置面から所定
の深さの接着材の液溜まりを形成した光ピックアップの対物レンズホルダの対物レンズ装
着構造。
【請求項２】
請求項１に記載の対物レンズ装着構造を備えた光ピックアップの対物レンズホルダ。
【請求項３】
請求項２に記載の対物レンズホルダを備えた光ピックアップ。
【発明の詳細な説明】
【技術分野】
【０００１】
この発明は光磁気ディスクに搭載される光ピックアップの、その対物レンズホルダにお
ける対物レンズの装着構造に関する。
【背景技術】
【０００２】
図２、図３は光ピックアップの対物レンズホルダ２０、３０における対物レンズ１の装
着形態の従来例を断面図で示したものである。それぞれ、（ａ）に対物レンズ１と対物レ
ンズホルダ２０、３０をともに断面で示し、（ｂ）に接着剤１００を塗布する前のレンズ
１の装着状態を断面で示し、（ｃ）に、接着材１００を塗布した状態を断面で示し、（ｄ
）に、その接着材１００の固まった部分を拡大断面で示したものである。なお、符号１０
１を付したものは、接着材１００を塗布するディスペンサである。
【０００３】
以上は、従来例において、接着材１００が理想的な形で、すなわち、レンズホルダ２０
、３０の内周に向かう方向に流れ込まず、レンズ１の外周面で塞き止められた形で固化し
た状態を示したものである。
【０００４】
このような形で接着材１００が固化すると、レンズ１は、レンズホルダ２０、３０に対
し、その水平度が保たれるので、フォーカス動作、トラッキング動作のいずれにおいても
、光磁気ディスクに対する精度の高い記録の再生と書き込みが実現できる。
【発明の開示】
【発明が解決しようとする課題】
【０００５】
しかしながら、現実には以下のような問題がある。この接着材１００の塗布は、現在、
手動のディスペンサ１０１を用いて、人手で行っているが、その塗布具合にバラつきがあ
り、勢いよく塗布した場合には、図４、図５に示したような位置に接着材１００の流れ込
み１１０が生ずる。図４は、図２のものに、図５は、図３のものに対応している。そして
、このような状態になることが、現状では多いのである。
【０００６】
接着材１００の流れ込み１１０がそのような位置に生ずると、その流れ込み１１０が固
化した部分の上にレンズ１が乗り上げて、その乗り上げ状態が図の左右で異なると、レン
ズ１が傾くという問題がある。レンズ１が傾くと、フォーカス動作やトラッキング動作が
精度良く行なわれない、ということになる。
【０００７】
あるいは、接着材が固化する際、体積収縮を起こすが、レンズホルダ２０、３０の内周
側の流れ込み１１０の部分が固化すると、その流れ込み１１０がなかった場合に比べて、
（その流れ込み１１０の接着材が浸入した）余裕の無い空間でレンズ１に応力を及ぼして
、それを歪ませるという問題もある。レンズ１が歪むと、これまた、レンズ１の集光作用
がまともに行われず、正確な記録の読み出し、書き込みが行われないことになる。
【０００８】
そこで、本発明は、光ピックアップの対物レンズホルダにおける、対物レンズ装着の際
の、このような接着材塗布時の問題を解消することを課題とする。
【課題を解決するための手段】
【０００９】
上記課題を解決するために、本発明は、対物レンズのフランジ部を対物レンズホルダの
載置面に載置した際の、そのフランジ部の外周面に接する面に沿って、その面の外側に、
その対物レンズホルダの載置面から所定の深さの接着材の液溜まりを形成したのである。
【００１０】
このような構成にしたので、接着材の塗布の仕方、具体的には手動のディスペンサを用
いた人手による塗布の勢いにバラつきがあっても、接着材がレンズホルダの内周側に向か
って流れ込むことがない。
【発明の効果】
【００１１】
本発明は、上記のように構成して、接着材がレンズホルダの内周側に向かって流れ込む
ことがないようにしたので、接着材がレンズの外周面の内側に流れ込んだ場合のように、
その流れ込んだ接着材の上にレンズが乗り上がって傾いたり、レンズホルダの内周側に流
れ込んだ接着材の固化に伴って、その余裕の無い空間でレンズが応力を受けて歪むといっ
たおそれが無い。
【００１２】
従って、対物レンズの対物レンズホルダの載置面に対する水平度が保たれ、光媒体に対
する記録の書き込みや読み出しが精度良く行われる。
【発明を実施するための最良の形態】
【００１３】
以下、この発明の実施の形態を図面を参照して説明する。図１は（ａ）に対物レンズ１
と本実施形態の対物レンズホルダ１０をともに断面で示し、（ｂ）に接着剤を塗布する前
のレンズの装着状態を断面で示し、（ｃ）に、接着材１００を塗布した状態を断面で示し
、（ｄ）に、その接着材１００の液溜まり１１の部分を拡大断面で示したものである。
【００１４】
図に示したように、本実施形態の対物レンズホルダ１０のレンズ１の装着部は、図の（
ｂ）に示したように、レンズ１を載置した際に、レンズ１のフランジ部の外周面に接する
面を境界として、その境界に沿って、その境界の外側に、レンズ１のフランジ部の載置面
から所定の深さにわたって、接着材１００の液溜まり１１を形成している。
【００１５】
このようにしたので、手動のディスペンサ１０１を用いて、人手で接着材１００を塗布
する場合に、その接着材１００の噴射の勢いにバラ付きがあっても、図の（ｃ）、（ｄ）
に示すように、接着材１００はその液溜まり１１に導かれて、そこに滞留し、そこで固化
するので、レンズ１の外周面の内側には流れず、前出の従来例の説明の際に述べたように
、そのレンズ１の外周面の内側に流れて固化した接着材１００の上にレンズ１が乗り上げ
て傾いたり、その流れ込み接着材１１０の固化の際に発生する応力でレンズ１に歪みが発
生するといったおそれもない。
【００１６】
従って、歪みの無い、正常な形状の対物レンズ１がレンズホルダ１０の載置面に水平に
装着され、光媒体に対する記録の書き込みや読み出しが精度良く行われる。
【産業上の利用可能性】
【００１７】
この発明は、光磁気ディスクに搭載される光ピックアップの対物レンズホルダ一般に広
く適用できる。
【図面の簡単な説明】
【００１８】
【図１】は、（ａ）に対物レンズと本実施形態の対物レンズホルダをともに断面で示し、（ｂ）に接着剤を塗布する前のレンズの装着状態を断面で示し、（ｃ）に、接着材を塗布した状態を断面で示し、（ｄ）に、その接着材の液溜まりの部分を拡大断面で示したものである。
【図２】は、光ピックアップの対物レンズホルダにおける対物レンズの装着形態の一従来例を、（ａ）に対物レンズと本実施形態の対物レンズホルダをともに断面で示し、（ｂ）に接着剤を塗布する前のレンズの装着状態を断面で示し、（ｃ）に、接着材を塗布した状態を断面で示し、（ｄ）に、その接着材の固まった部分を拡大断面で示したものである。
【図３】は、光ピックアップの対物レンズホルダにおける対物レンズの装着形態の他の従来例を、（ａ）に対物レンズと本実施形態の対物レンズホルダをともに断面で示し、（ｂ）に接着剤を塗布する前のレンズの装着状態を断面で示し、（ｃ）に、接着材を塗布した状態を断面で示し、（ｄ）に、その接着材の固まった部分を拡大断面で示したものである。
【図４】は、（ａ）〜（ｄ）に、図２の場合の不具合を断面で示したものである。
【図５】は、（ａ）〜（ｄ）に、図３の場合の不具合を断面で示したものである。
【符号の説明】
【００１９】
１    対物レンズ
１０、２０、３０    対物レンズホルダ
１１    液溜まり
１００    接着材
１０１    ディスペンサ
１１０    接着材の流れ込み
【図１】
2007058919.tif 000003
【図２】
2007058919.tif 000004
【図３】
2007058919.tif 000005
【図４】
2007058919.tif 000006
【図５】
2007058919.tif 000007